(57)【特許請求の範囲】
【請求項１】
ニューマチックケーソンにおいて、作業室スラブの上に設置されるロック構造であって、
プレキャストコンクリート製の複数のブロックと、
複数の前記ブロックを着脱可能に連結する複数の連結機構と、を備える、ロック構造。
【請求項２】
複数の前記ブロックには、水平方向に貫通孔が形成され、
前記連結機構は、複数の前記ブロックの前記水平方向の貫通孔に挿通されるテンションロッドと、前記テンションロッドの少なくとも一方の端部に設置される定着具と、を有する、請求項１に記載された、ロック構造。
【請求項３】
複数の前記ブロックには、垂直方向に貫通孔が形成され、
前記連結機構は、複数の前記ブロックの前記垂直方向の貫通孔に挿通されるテンションロッドと、前記テンションロッドの一方の端部に設置される定着具と、前記テンションロッドの他方の端部に設置される作業室スラブへの固定機構と、を有する、請求項１又は請求項２に記載された、ロック構造。
【請求項４】
複数の前記ブロックには、斜め方向に貫通孔が形成され、
前記連結機構は、複数の前記ブロックの前記斜め方向の貫通孔に挿通されるテンションロッドと、前記テンションロッドの一方の端部に設置される定着具と、前記テンションロッドの他方の端部に設置される作業室スラブへの固定機構と、を有する、請求項１乃至請求項３のいずれか一項に記載された、ロック構造。
【請求項５】
前記作業室スラブへの固定機構は、あらかじめ作業室スラブに埋設されるテンションロッドにカプラを介して接続する機構である、請求項３又は請求項４に記載された、ロック構造。
【請求項６】
前記作業室スラブには、貫通孔が形成され、前記テンションロッドは前記作業室スラブの前記貫通孔にさらに挿通されて、
前記作業室スラブへの固定機構は、前記テンションロッドの他方の端部に設置される定着具である、請求項３又は請求項４に記載された、ロック構造。
【請求項７】
請求項１乃至請求項６のいずれか一項に記載されたロック構造を構築する方法であって、
プレキャストコンクリート製の複数のブロックを作業室スラブの上に配置する工程と、
複数の前記ブロックを前記連結機構によって着脱可能に連結する工程と、
を備える、ロック構造を構築する方法。
【請求項８】
前記連結する工程は、複数の前記ブロックに水平方向に貫通孔を形成する工程と、複数の前記ブロックの前記水平方向に形成された貫通孔にテンションロッドを挿通する工程と、前記テンションロッドの少なくとも一方の端部に定着具を設置する工程と、を有する、請求項７に記載された、ロック構造を構築する方法。
【請求項９】
前記連結する工程は、複数の前記ブロックに垂直方向に貫通孔を形成する工程と、複数の前記ブロックの前記垂直方向に形成された貫通孔にテンションロッドを挿通する工程と、前記テンションロッドの一方の端部に定着具を設置する工程と、前記テンションロッドの他方の端部に前記作業室スラブへの固定機構を設置する工程と、を有する、請求項７又は請求項８に記載された、ロック構造を構築する方法。
【請求項１０】
前記連結する工程は、複数の前記ブロックに斜め方向に貫通孔を形成する工程と、複数の前記ブロックの前記斜め方向に形成された貫通孔にテンションロッドを挿通する工程と、前記テンションロッドの一方の端部に定着具を設置する工程と、前記テンションロッドの他方の端部に前記作業室スラブへの固定機構を設置する工程と、を有する、請求項７乃至請求項９のいずれか一項に記載された、ロック構造を構築する方法。
【請求項１１】
請求項１乃至請求項６のいずれか一項に記載されたロック構造を撤去する方法であって、
垂直方向に連結された複数の前記ブロックの前記連結機構を解除する工程と、
水平方向に連結された複数の前記ブロックの前記連結機構を解除する工程と、
プレキャストコンクリート製の複数のブロックを作業室スラブの上から取り除く工程と、
を備える、ロック構造を撤去する方法。
【発明の詳細な説明】
【技術分野】
【０００１】
本発明は、ニューマチックケーソン工法で使用されるロック構造に関するものである。
【背景技術】
【０００２】
一般に、ニューマチックケーソン工法では、ケーソン下部に設けた作業室に圧縮空気を送り込むことにより、空気の圧力で地下水を排除した状態で掘削作業を行っている。作業室からは、地上に向かってマテリアルシャフト及びマンシャフトが延びており、その途中にマテリアルロックやマンロック等のロック（気閘室）が設置されている。通常、マテリアルロックやマンロックは鋼製で、シャフトの上部に設置されるが、シャフトの下部、作業室スラブの直上に配置される場合もある。
【０００３】
このようなロック（気閘室）の１つとして、鉄筋コンクリート製の下部ロック型のマンロックが知られている。この鉄筋コンクリート製の下部ロック型のマンロックは、上部に設置するマンロックと比べて面積を広くとることができるため、作業員は足を伸ばしてリラックスした状態で減圧することが可能になり、減圧症の抑制に役立つことが知られている。
【０００４】
また、特許文献1には、組立分解可能に構成された、断面半円または馬蹄形の半円筒形の回収ロックが、鋼製又はプレストレストコンクリート製によって構成されている例が開示されている。
【先行技術文献】
【特許文献】
【０００５】
【特許文献１】特開２０１０−１５０８７０号公報
【発明の概要】
【発明が解決しようとする課題】
【０００６】
しかしながら、従来の現場打ち鉄筋コンクリート製のマンロックでは、撤去する際に鉄筋コンクリートを破砕する必要があるため、撤去に時間がかかるという課題があった。さらに、特許文献１の回収ロックでは、作業室スラブに対してアンカーボルトによって接合されるため、接合強度や気密性に問題が生じるおそれがあった。
【０００７】
そこで、本発明は、構築・撤去が容易であり、かつ、接合強度や気密性の高い、ロック構造を提供することを目的としている。
【課題を解決するための手段】
【０００８】
前記目的を達成するために、本発明のロック構造は、ニューマチックケーソンにおいて、作業室スラブの上に設置されるロックであって、プレキャストコンクリート製の複数のブロックと、複数の前記ブロックを着脱可能に連結する複数の連結機構と、を備えている。
【０００９】
また、本発明のロック構造を構築する方法は、上述したロック構造を構築する方法であって、プレキャストコンクリート製の複数のブロックを作業室スラブの上に配置する工程と、複数の前記ブロックを前記連結機構によって着脱可能に連結する工程と、を備えている。
【００１０】
さらに、本発明のロック構造を撤去する方法は、上述したロック構造を撤去する方法であって、垂直方向に連結された複数のブロックの前記連結機構を解除する工程と、水平方向に連結された複数のブロックの前記連結機構を解除する工程と、プレキャストコンクリート製の複数のブロックを作業室スラブの上から取り除く工程と、を備えている。
【発明の効果】
【００１１】
このように、本発明のロック構造は、ニューマチックケーソンにおいて、作業室スラブの上に設置されるロックであって、プレキャストコンクリート製の複数のブロックと、複数のブロックを着脱可能に連結する複数の連結機構と、を備えている。このような構成であれば、連結機構によってブロック間を連結することによって、簡易な構成で接合強度や気密性を高くすることができる。
【００１２】
また、本発明のロック構造を構築する方法は、上述したロック構造を構築する方法であって、プレキャストコンクリート製の複数のブロックを作業室スラブの上に配置する工程と、複数のブロックを連結機構によって着脱可能に連結する工程と、を備えている。このような構成であれば、連結機構によってブロック間を連結することによって、迅速かつ容易にロック構造を構築することができる。
【００１３】
また、本発明のロックを撤去する方法は、上述したロックを撤去する方法であって、垂直方向に連結された複数のブロックの連結機構を解除する工程と、水平方向に連結された複数のブロックの連結機構を解除する工程と、プレキャストコンクリート製の複数のブロックを作業室スラブの上から取り除く工程と、を備えている。このような構成であれば、連結されたブロック間の連結機構を解除することによって、迅速かつ容易にロック構造を撤去することができる。
【図面の簡単な説明】
【００１４】
【図１】ニューマチックケーソンを垂直な平面で切断した断面図である。
【図２】ニューマチックケーソンを水平な平面で切断した断面図である。
【図３】ロック構造を垂直な平面で切断した拡大断面図である。（ａ）は、固定機構として貫通したテンションロッドと定着具を用いた垂直連結機構であり、（ｂ）は、固定機構として埋設したテンションロッドにカプラを介してテンションロッドを連繋する垂直連結機構である。
【図４】ロック構造を水平な平面で切断した拡大断面図である。
【図５】複数のブロックの分解状態の斜視図である。
【図６】複数のブロックの組立状態の斜視図である。
【図７】テンションロッドと定着具の構成を説明する断面図である。
【図８】作業室スラブに埋設されるカプラの断面図である。
【図９】別形態のロック構造の斜視図である。（ａ）は矩形縦型、（ｂ）は円形横型、（ｃ）は円形縦型の場合である。
【図１０】斜め方向の連結機構の構成を説明する断面図である。
【図１１】テンションロッドを連繋するロック構造の説明図である。
【図１２】テンションロッドを連繋する具体的な構造の断面図である。
【発明を実施するための形態】
【００１５】
以下、本発明の実施の形態について図面を参照して説明する。
【実施例１】
【００１６】
（ニューマチックケーソンの構成）
まず、図１を用いて本発明のロックとしてのマンロック６を備えるニューマチックケーソン１の全体構成について説明する。図１に示すように、ニューマチックケーソン１の側壁１０の下部には、先端が細くなった刃口２が形成されており、この刃口２の内面と作業室スラブ３の下面とに囲まれて作業室４が形成されている。作業室４内には、少なくとも１台以上の掘削機（不図示）が配置されており、遠隔操作される掘削機によって地盤を掘削してニューマチックケーソン１を沈下させていくようになっている。
【００１７】
作業室４からは、地上に向かってマテリアルシャフト（不図示）が延びており、上部にマテリアルロック（不図示）が設置されている。そして、本実施例の作業室４からは、地上に向かってマンシャフト５が延びており、下部に気閘室であるマンロック６が側壁１０から距離をおいて設置されている。さらに、図示しないが、作業室４やマンロック６内に圧縮空気を送り込んだり排気したりするための圧気設備が配置されている。
【００１８】
この他、図示しないが、ニューマチックケーソン１に近接する地上には、中央監視室が設置されている。中央監視室では、掘削機、マテリアルシャフト及びマテリアルロックを介した資材の搬入と掘削した土砂の搬出、マンシャフト５及びマンロック６を介した作業員の入退室、マンロック６内での加圧・減圧等の圧力管理、ケーソンの沈下量、傾斜等の姿勢表示等、全体の監視や管理が行われる。
【００１９】
（マンロックの構成）
次に、本実施例のマンロック６の構成について説明する。マンロック６は、全体として平面形状が四角形（矩形）の２つの部屋である主室Ｒ１と副室Ｒ２とが水平方向に並設されて構成されている。このうち、主室Ｒ１は内部で作業しやすい大きさになっており、副室Ｒ２はエレベータシャフトのアンカーリングがスラブ（６０）に埋め込み（又は設置）可能な大きさとなっている。
【００２０】
そして、本実施例のマンロック６は、図３〜図６に示すように、運搬、クレーンによる吊り上げ、吊り下ろし作業が容易になるように、プレキャストコンクリート製の複数のブロック６０〜６６に分割されている。
【００２１】
複数のブロック６０〜６６は、主室Ｒ１及び副室Ｒ２をそれぞれ３枚ずつ合計６枚に分割されたスラブ６０、・・・と、主室Ｒ１・副室Ｒ２のそれぞれの側壁６１、・・・、６５、・・・、６６、・・・と、主室Ｒ１と副室Ｒ２の間の隔壁６２、６３、６４と、から構成されている。なお、図示しないが、ブロック６０〜６６どうしが互いに当接する表面には、位置合わせ用の嵌合凹部又は嵌合凸部を設けることも好ましい。さらに、これらのブロック６０〜６６が作業室スラブ３に接する下端面にはグラウト材を注入して気密性を高めることが好ましい。
【００２２】
すなわち、本実施例では、スパンが長い側壁（６１）は上下方向に分割され、スパンが短い側壁（６５、６６）は分割されずに１部材となっている。また、スラブ（６０）は、スパンが長いため主室Ｒ１及び副室Ｒ２でそれぞれ３分割されている。また、隔壁（６２〜６４）はスパンが長いため、上下方向に分割されている。さらに、隔壁（６２〜６４）の下部は、主室Ｒ１と副室Ｒ２との移動用の圧気扉が配置される隔壁（６３）と圧気扉が配置されない隔壁（６４）とに水平方向にも２分割されている。
【００２３】
なお、プレキャストコンクリート製のブロック（６０〜６６）の分割数は、上述した具体例に限定されるものではない。ブロックの分割数は、マンロック６の大きさや、クレーンによる吊り上げ／吊り下げ能力等を考慮して適宜決定されるものである。
【００２４】
そして、本実施例の複数のブロック６０〜６６には、これらの複数のブロック６０〜６６を水平方向に連結する連結機構としての水平連結機構８０と、これらの複数のブロック６０〜６６を垂直方向に連結する連結機構としての垂直連結機構７０と、が設置されている。また、垂直連結機構７０及び水平連結機構８０の設置数は、図示する数に限定されるものではない。連結機構の設置数は、必要とされる圧縮力・強度等によって適宜決定されるものである。なお、この水平連結機構８０及び垂直連結機構７０は、単にブロック間を連結するだけでなく、ブロックどうしを互いに押し付けるように圧縮力を作用させた状態を維持するように構成されている（この点については後述する）。
【００２５】
具体的に言うと、各ブロック６０〜６６には、水平方向又は垂直方向に貫通する貫通孔９０が形成されており、この貫通孔９０にブロック（６０〜６６）間を縦横に連結するテンションロッド７１、８１が挿通されている。そして、テンションロッド７１、８１の端部には、定着具７２、８２が設置されており、縦方向及び横方向にテンションロッド７１、８１にジャッキ等によって張力を作用させた状態で端部が固定されるようになっている。
【００２６】
このうち、水平連結機構８０は、図７に示すように、貫通孔９０と、複数のブロック間に連通されるテンションロッド８１と、テンションロッド８１の少なくとも一方の端部に設置される定着具８２と、から構成される。このうち、テンションロッド８１は、ジャッキによる引張張力に耐えうる高強度の鋼棒であり、具体的にはＰＣ鋼棒などが用いられる。
【００２７】
定着具８２は、図７に示すように、テンションロッド８１の先端に形成された雄ネジ溝８１ａと、アンカープレート８２ａと、ワッシャ８２ｂと、ナット８２ｃと、から構成されている。そして、テンションロッド８１にジャッキ（不図示）によって緊張力を作用させた状態でナット８２ｃを締め付ける。そうすると、ナット８２ｃからワッシャ８２ｂ及びアンカープレート８２ａを介して、テンションロッド８１の延びる方向に圧縮力を作用させることでブロック間が互いに近づく方向に押圧された状態となる。
【００２８】
なお、定着具８２は、テンションロッド８１に対して、容易に着脱可能な構造にされていることが好ましい。具体的に言うと、本実施例では、テンションロッド８１を緊張した状態で、ナット８２ｃを回転させることで、定着具８２が容易に脱着可能となる。
【００２９】
同様に、垂直連結機構７０は、貫通孔９０と、複数のブロック間に連通されるテンションロッド７１と、テンションロッド７１の少なくとも一方の端部に設置される定着具７２と、から構成される。この垂直連結機構７０のうち、マンロック６のスラブ６０の反対側に位置する、作業室スラブ３に対する固定機構は、あらかじめ作業室スラブ３に埋設されるカプラ７３であるか（図３（ｂ）参照）、又は、定着具７２である（図３（ａ）参照）。このうち定着具７２の構成については、水平連結機構８０の定着具８２の構成と略同様であるから説明を省略する。
【００３０】
カプラ７３は、図８に示すように、テンションロッド７１を途中で連繋する（継ぎ足す、延長する）ために使用される。カプラ７３は、あらかじめ作業室スラブ３に定着具７２を使用して埋設されたテンションロッド７１の上端に取り付けられる。なお、この定着具７２は、水平連結機構８０の定着具８２と略同様に、テンションロッド７１の先端に形成された雄ネジ溝７１ａと、アンカープレート７２ａと、ワッシャ７２ｂと、ナット７２ｃと、から構成されている。カプラ７３は、その内面には雌ネジ溝７３ａが形成されている。そして、カプラ７３は、埋設固定された下のテンションロッド７１の上端に取り付けられ、さらに上のテンションロッド７１がカプラ７３に取り付けられる。このように、カプラ７３を介して、下のテンションロッド７１と上のテンションロッド７１とが連繋されるようになっている。
【００３１】
（ロックを構築する方法）
次に、ロックを構築する方法について説明する。
【００３２】
（１）はじめに、プレキャストコンクリート製の複数のブロック６０〜６６を、あらかじめ工場等において製造しておく。製造する際には、例えば、部材の寸法を規格化しておくことなども好ましい。
【００３３】
（２）次に、ブロック６０〜６６をトレーラ等に積載して現場まで運搬し、クレーンによって作業室スラブ３の上に配置する。この際には、ブロック６０〜６６に設けた凹凸を嵌合ささせることによって位置決めが容易になる。
【００３４】
（３）次に、複数のブロック６０〜６６を水平連結機構８０によって水平方向に連結する。すなわち、テンションロッド８１の一方の端部に定着具８２を取り付けた状態で、他方の端部をジャッキによって引っ張ることで張力を作用させ、この状態で他方の端部の定着具８２を固定する。
（４）最後に、複数のブロック６０〜６６を垂直連結機構７０によって垂直方向に連結する。すなわち、テンションロッド７１の一方の端部（下端）に定着具７２を取り付けた状態で、他方の端部（上端）をジャッキによって引っ張ることで張力を作用させ、この状態で他方の端部（上端）の定着具７２を固定する。または、テンションロッド７１の一方の端部（下端）をカプラ７３に連結した状態で、他方の端部（上端）をジャッキによって引っ張ることで張力を作用させ、この状態で他方の端部（上端）の定着具７２を固定する。なお、上述の手順では特に説明しなかったが、手順の途中で仮緊張を行ってもよく、仮緊張を除外するものではない。
【００３５】
（ロックを撤去する方法）
次に、ロックを撤去する方法について説明する。
【００３６】
（１）はじめに、垂直方向に連結された複数のブロック６０〜６６の垂直連結機構７０を解除する。すなわち、いずれか一方の端部の定着具７２を取り外すか、又は、カプラ７３との連結を解除することによって、テンションロッド７１の圧縮力を解放して、貫通孔９０からテンションロッド７１を引き抜く。
【００３７】
（２）同様に、水平方向に連結された複数のブロック６０〜６６の水平連結機構８０を解除する。すなわち、いずれか一方の端部の定着具８２を取り外すことによって、テンションロッド８１の圧縮力を解放して、貫通孔９０からテンションロッド８１を引き抜く。
【００３８】
（３）最後に、クレーンによって、プレキャストコンクリート製の複数のブロック６０〜６６を作業室スラブ３の上から取り除く。そして、ブロック６０〜６６は、トレーラ等に積載されて保管場所まで運搬される。その後、必要に応じて、ブロック６０〜６６は、再利用される。なお、マンロック６の大きさ等によって、一部のブロックのみが使用されて、残りのブロックは使用されない場合もあり得る。
【００３９】
（効果）
次に、本実施例のロックとしてのマンロック６が奏する効果を列挙して説明する。
（１）上述してきたように、本実施例のロックとしてのマンロック６は、ニューマチックケーソン１において、作業室スラブ３の上に設置されるマンロック６であって、プレキャストコンクリート製の複数のブロック６０〜６６と、複数のブロック６０〜６６を水平方向に着脱可能に連結する複数の水平連結機構８０と、複数のブロック６０〜６６を垂直方向に着脱可能に連結する複数の垂直連結機構７０と、を備えている。このような構成であれば、部材をブロック６０〜６６に分割したうえで、水平連結機構８０と垂直連結機構７０によってブロック６０〜６６間を連結することによって、簡易な構成で接合強度や気密性を高くすることができる。さらに、着脱可能に連結された複数のブロック６０〜６６は、使用後に再利用することも可能である。
【００４０】
（２）また、複数のブロック６０〜６６には、水平方向に貫通孔９０が形成され、水平連結機構８０は、複数のブロック６０〜６６の水平方向の貫通孔９０に挿通されるテンションロッド８１と、テンションロッド８１の少なくとも一方の端部に設置される定着具８２と、を有することが好ましい。このように構成することで、水平方向の接合強度や気密性を高く保持できるうえ、きわめて容易にマンロック６を組立／撤去でき、使用後にブロック６０〜６６を再利用することも可能となる。
【００４１】
（３）また、複数のブロック６０〜６６には、垂直方向に貫通孔９０が形成され、垂直連結機構７０は、複数のブロック６０〜６６の垂直方向の貫通孔９０に挿通されるテンションロッド７１と、テンションロッド７１の一方の端部に設置される定着具７２と、テンションロッド７１の他方の端部に設置される作業室スラブへの固定機構と、を有することが好ましい。このように構成することで、垂直方向の接合強度や気密性を高く保持できるうえ、きわめて容易にマンロック６を組立／撤去でき、使用後にブロック６０〜６６を再利用することも可能となる。
【００４２】
（４）さらに、作業室スラブ３への固定機構は、あらかじめ作業室スラブ３に埋設されるテンションロッド７１にカプラ７３を介して接続する機構であることが好ましい。このように構成することで、垂直連結機構７０を着脱可能に構成できる。この場合、作業室４内（の作業室スラブ３の下面）に余分な障害物が生じないという利点がある。
【００４３】
（５）また、作業室スラブ３には、さらに垂直方向に貫通孔９０が形成され、テンションロッド７１は作業室スラブ３の貫通孔９０にさらに挿通されて、作業室スラブ３への固定機構は、テンションロッド７１の他方の端部に設置される定着具７２であることが好ましい。このように構成することで、垂直連結機構７０を着脱可能に構成できる。この場合、カプラ７３を埋設する場合と比べて、作業室スラブ３の構築工程を簡単にできる一方で、気密性を保持する工夫が必要となる。
【００４４】
（６）また、本実施例のロックを構築する方法は、プレキャストコンクリート製の複数のブロック６０〜６６を作業室スラブ３の上に配置する工程と、複数のブロック６０〜６６を水平連結機構８０によって水平方向に連結する工程と、複数のブロック６０〜６６を垂直連結機構７０によって垂直方向に連結する工程と、を備えている。このように構成することで、水平方向の接合強度や気密性を高く保持できるうえ、きわめて容易にマンロック６を組立／撤去でき、使用後にブロック６０〜６６を再利用することも可能となる。
【００４５】
（７）さらに、水平方向に連結する工程は、複数のブロック６０〜６６に水平方向に貫通孔９０を形成する工程と、複数のブロック６０〜６６の水平方向に形成された貫通孔９０にテンションロッド８１を挿通する工程と、テンションロッド８１の少なくとも一方の端部に定着具８２を設置する工程と、を有することが好ましい。このように構成することで、水平方向の接合強度や気密性を高く保持できるうえ、きわめて容易にマンロック６を組立／撤去でき、使用後にブロック６０〜６６を再利用することも可能となる。
【００４６】
（８）同様に、垂直方向に連結する工程は、複数のブロック６０〜６６に垂直方向に貫通孔９０を形成する工程と、複数のブロック６０〜６６の垂直方向に形成された貫通孔９０にテンションロッド７１を挿通する工程と、テンションロッド７１の一方の端部に定着具７２を設置する工程と、テンションロッド７１の他方の端部に作業室スラブ３への固定機構を設置する工程と、を有することが好ましい。このように構成することで、垂直方向の接合強度や気密性を高く保持できるうえ、きわめて容易にマンロック６を組立／撤去でき、使用後にブロック６０〜６６を再利用することも可能となる。
【００４７】
（９）また、本実施例のロックを撤去する方法は、垂直方向に連結された複数のブロック６０〜６６の垂直連結機構７０を解除する工程と、水平方向に連結された複数のブロック６０〜６６の水平連結機構８０を解除する工程と、プレキャストコンクリート製の複数のブロック６０〜６６を作業室スラブ３の上から取り除く工程と、を備えている。このように構成することで、きわめて容易にマンロック６を組立／撤去でき、使用後にブロック６０〜６６を再利用することも可能となる。
【実施例２】
【００４８】
以下、図９（ａ）〜（ｅ）を用いて、実施例１とは別の形態のロックとしてのマンロック６Ａ〜６Ｅについて説明する。なお、前記実施の形態で説明した内容と同一乃至均等な部分の説明については同一符号を付して説明する。
【００４９】
実施例１では、各室（主室と副室）がそれぞれ矩形であり２室が横に並設された矩形横型のマンロック６について説明したが、これに限定されるものではなく、各室の形状や位置関係は適宜に選択することができる。以下では、２室が縦に並設される例や、各室がそれぞれ円形又は蒲鉾形である例について説明する。
【００５０】
すなわち、図９（ａ）に示す矩形縦型のマンロック６Ａ、図９（ｂ）に示す円形横型のマンロック６Ｂ、図９（ｃ）に示す円形縦型のマンロック６Ｃが考えられる。
【００５１】
いずれの場合にも以下を満たすように構成できることが確認されている。すなわち、１）主室と副室を持つ構造とし、地上から副室側にエレベータにより入室できる、２）主室と副室の間の隔壁には、圧気扉又はハッチを通じて入退出する、３）函内へは、主室からハッチを通じて入退出する。
【００５２】
なお、この他の構成および作用効果については、前記実施の形態と略同様であるため説明を省略する。
【００５３】
以上、図面を参照して、本発明の実施例を詳述してきたが、具体的な構成は、この実施例に限らず、本発明の要旨を逸脱しない程度の設計的変更は、本発明に含まれる。
【００５４】
例えば、実施例では、ロックとしてマンロック６について説明したが、これに限定されるものではなく、マテリアルロックに本発明を適用することももちろん可能である。
【００５５】
また、実施例では、ブロック６０〜６６を並べる方向を説明するために、便宜的に「水平方向」や「垂直方向」として説明したが、これらは厳密な定義ではなく、多少の傾きがあってもこれらの概念に含まれる。その意味では、これらを「略水平方向」や「略垂直方向」と称することも可能である。
【００５６】
さらに、実施例では説明しなかったが、水平連結機構８０のテンションロッド８１の一方の端部は、側壁や隔壁にあらかじめ埋設されたカプラに連結されるように構成することもできる。
【００５７】
また、作業性の点で問題は残るものの、実施例とは逆に、垂直連結機構７０のテンションロッド７１の上端をスラブ６０に埋設されたカプラに連結し、下端をジャッキで引っ張って定着具７２を取り付けることも可能である。
【００５８】
さらに、実施例では、連結機構としての垂直連結機構７０と水平連結機構８０について説明したが、これに限定されるものではなく、図１０に示すように、連結機構として斜め方向に延びる傾斜連結機構を実施することも可能である。さらに、垂直連結機構７０及び／又は水平連結機構８０と傾斜連結機構を組み合わせることも可能であるし、傾斜連結機構を部分的にのみ使用することも可能である。
【００５９】
また、図１１、図１２に示すように、テンションロッド８１を複数本繋いで使用することもできる。具体的には、あらかじめ隔壁６２〜６４にテンションロッド８１をセットしておいて、壁の設置時に追加するテンションロッド８１をカプラ８３を介して繋いでいくことができる。
【００６０】
さらに、実施例では、ロック構造を構築する方法又は撤去する方法の手順として、立方体に形成されたブロックを水平方向・垂直方向に連結する、として説明したが、これらは厳密に水平・垂直であることを意図するものではなく、例えば台形状に形成されたブロックを連結する場合も含まれる。
【００６１】
また、実施例では説明しなかったが、各ブロックにおいて、他のブロックとの接合に関係しない部分には、あらかじめ工場においてＰＣ鋼棒を挿入・緊張しておくことが好ましく、これによって施工性を高めることができる。
【００６２】
さらに、実施例では、図８に示すようにカプラ７３を設置するために円錐台状の切り欠き（凹部）を設ける場合について説明したが、これに限定されるものではない。ブロックの厚さが薄く、切り欠き（凹部）を設けるとグラウト充填用のスペースが不足する場合には、カプラ７３を埋め込んでビニールパイプやシース材等でカプラ７３を囲んだ状態とし、コンクリート打設後に、カプラ７３を囲んでいるビニールパイプやシース材を切断・撤去するように構成することもできる。
【００６３】
また、実施例では特に説明しなかったが、壁厚が薄くなることによって、ブロックの分割数を少なくできる場合には、側壁は上下方向に分割されていなくてもよく、ブロック単体で側壁を構成することもできる。
【符号の説明】
【００６４】
１    ：ニューマチックケーソン
３    ：作業室スラブ
４    ：作業室
６    ：マンロック
６Ａ〜６Ｅ  ：マンロック
６０〜６６：ブロック
７０  ：垂直連結機構（連結機構）
７１  ：テンションロッド
７２  ：定着具
７３  ：カプラ
８０  ：水平連結機構（連結機構）
８１  ：テンションロッド
８２  ：定着具
８３  ：カプラ
９０  ：貫通孔
Ｒ１  ：主室
Ｒ２  ：副室
【図１】
0006940081.tif 000002
【図２】
0006940081.tif 000003
【図３】
0006940081.tif 000004
【図４】
0006940081.tif 000005
【図５】
0006940081.tif 000006
【図６】
0006940081.tif 000007
【図７】
0006940081.tif 000008
【図８】
0006940081.tif 000009
【図９】
0006940081.tif 000010
【図１０】
0006940081.tif 000011
【図１１】
0006940081.tif 000012
【図１２】
0006940081.tif 000013